【事件の表示】
　平成　５年特許願第　６１６９８号「写真処理装置」拒絶査定に対する審判事件［平成　６年　９月３０日出願公開、特開平　６−２７３９１３］について、次のとおり審決する。
【結　論】
　本件審判の請求は、成り立たない。
【理　由】
１．手続の経緯・本願発明　
　本願は、平成５年３月２２日の出願であって、その請求項１に係る発明は、平成１０年１０月２８日付けの手続補正書で補正された明細書及び図面の記載からみて、その特許請求の範囲の請求項１に記載された次のとおりのものと認める。　
「現像済フィルムの各コマの像を印画紙に焼き付け、当該印画紙の現像処理を行なって写真プリント排出口より順次排出する写真プリント焼付現像機構と、前記現像済フィルムの像を読み取って順番に並べ、少なくとも１枚のプリントに表示し当該プリントをインデックスプリント排出口より排出するインデックスプリント作成機構を備えてなる写真処理装置であって、前記写真プリント排出口の近傍に前記インデックスプリント排出口が設けられており、前記インデックスプリントに表示された写真プリントを仕分け、対応する前記インデックスプリントとひとまとめにするプリント仕分け装置を備えたことを特徴とする写真処理装置。」　
２．引用例　
　これに対して、原査定の拒絶の理由に引用された、本願出願前日本国内において頒布された刊行物である、特開平４−３１７０５８号公報（以下、「引用例１」という。）には、次の事項が記載されている。　
「焼付照合装置５０は、ネガフィルムを焼付露光すると共に印画紙を現像処理するための一般的な機構、すなわち露光焼付部５２および現像部５４を有しており、セットされたフィルムストッカー３２から返却用カートリッジ２２を取り出すと共に順次ネガフィルムを引き出して焼付現像処理しプリント５６を製作できる。また焼付照合装置５０には、一本のネガフィルムに露光された全ての画像コマを一枚の印画紙に焼付処理して（プリントして）これを画像インデックスとするインデックスプリント機構が内蔵されている。」（第３頁右欄第２２〜３１行）　
「個々のプリント５６が検査され、この検査中のプリント５６に対応するネガフィルムから読み取られたＩＤコードが表示部５８に表示され、ＤＰ袋１６に記載されたＩＤコードと照合される。検査照合の結果、合格したプリント５６は、ネガフィルムが収納された返却用カートリッジ２２、インデックスプリント６０及び注文シート１８と共にＤＰ袋１６に収納されて写真取次店へ搬出され、顧客に手渡される。」（第４頁右欄第４〜１１行）　
　この記載事項によると、引用例１には「ネガフィルムの画像コマを焼付露光すると共に現像処理を行なって個々のプリントを製作する機構と、ネガフィルムに露光された全ての画像コマを一枚の印画紙に焼付処理してインデックスプリントを製作するインデックスプリント機構を備えてなる焼付照合装置であって、個々のプリントはインデックスプリントと共にＤＰ袋に収納されること」が記載されていると認められる。　
　また、同じく原査定の拒絶の理由に引用された、本願出願前日本国内において頒布された刊行物である、特開平５−２７４０５号公報（以下、「引用例２」という。）には、次の事項が記載されている。　
「ソーター部５１８には、上下方向に用紙１１２，１１３、ネガシート２７及び写真プリント３５が搬出されるトレー５２８が取付けられたチェーン５３０が設けられている。このチェーン５３０は、下側に配置された歯車５３２と、モーター５３４の駆動力を伝達する歯車５３６に巻き掛けられ、反時計方向（矢印Ａ方向）に周動するようになっている。」（第９頁左欄第１７〜２４行）　
「トレー５２８は下方へ移動してネガシート処理部１２の搬送用ベルト３７８の排出側斜め下方に一旦停止して待機する。・・・（第１１頁左欄第４９行〜右欄第１１行省略）・・・ネガシート２７はミシン目Ｍから切り離され１オーダー単位のネガシート２７とされる。・・・（第１１頁右欄第１４〜２９行省略）・・・搬送用ベルト３７８に挟持搬送され前述した用紙１１２，１１３が積載された待機状態のトレー５２８上へ排出される。【００８８】トレー５２８はネガシート２７を受け取ると、下方に移動されてプリント整頓テーブル４３０の押圧板４８２の斜め下方に一旦停止して待機する。【００８９】一方、プリントペーパー処理部１４では、・・・（第１１頁右欄第３７〜４１行省略）・・・プリントペーパー３４はカッター４８で切断されて写真プリント３５とされオーダー単位分が搬送される。・・・（第１１頁右欄第４３行〜第１２頁左欄第２９行省略）・・・プリント整頓テーブル４３０の平面部４３２上に載置される。・・・（第１２頁左欄第３０〜４５行省略）・・・プリント整頓テーブル４３０は矢印Ｂ方向へ移動され、端部がトレー５２８に対応する。【００９５】ここで、待機しているトレー５２８に載置されているネガシート２７のＩＤ番号とプリント整頓テーブル４３０上の写真プリント３５のＩＤ番号とが一致している場合には、押圧板４８２が倒され（図８に想像線で示す状態）、レバー４７６がトレー５２８側に移動されて、端部位置が揃えられた写真プリント３５がトレー５２８内へ押し出される。」（第１１頁左欄第４６行〜第１２頁右欄第３行）　
　この記載事項によると、引用例２には「ネガシート処理部の搬送用ベルトの下方にプリント整頓テーブルの押圧板が設けられており、トレー上でＩＤ番号が一致しているネガシートと写真プリントとをひとまとめにするソーター部」が記載されていると認められる。　
３．対比　
　そこで、本願発明と前記引用例１に記載されたものとを対比すると、引用例１に記載された「ネガフィルム」、「画像コマを焼付露光」、「個々のプリントを製作する機構」、「ネガフィルムに露光された全ての画像コマを一枚の印画紙に焼付処理」、「インデックスプリントを製作するインデックスプリント機構」、「焼付照合装置」及び「個々のプリントはインデックスプリントと共にＤＰ袋に収納」は、それぞれ本願発明の「現像済フィルム」、「各コマの像を印画紙に焼き付け」、「写真プリント排出口より順次排出する写真プリント焼付現像機構」、「現像済フィルムの像を、少なくとも１枚のプリントに表示し当該プリントをインデックスプリント排出口より排出するインデックスプリント作成機構」、「写真処理装置」及び「インデックスプリントに表示された写真プリントを仕分け、対応するインデックスプリントとひとまとめにする」に相当する。そうすると、両者は、　
「現像済フィルムの各コマの像を印画紙に焼き付け、当該印画紙の現像処理を行なって写真プリント排出口より順次排出する写真プリント焼付現像機構と、前記現像済フィルムの像を読み取って順番に並べ、少なくとも１枚のプリントに表示し当該プリントをインデックスプリント排出口より排出するインデックスプリント作成機構を備えてなる写真処理装置であって、前記インデックスプリントに表示された写真プリントを仕分け、対応する前記インデックスプリントとひとまとめにする」点で一致し、　
（１）本願発明がインデックスプリント作成の際に「現像済フィルムの像を読み取って順番に並べ」る工程を有するのに対し、引用例１にはそのような工程が記載されていない点、　
（２）本願発明が、「写真プリント排出口の近傍にインデックスプリント排出口が設けられており、写真プリントと対応するインデックスプリントとひとまとめにするプリント仕分け装置」を有するのに対し、引用例１に記載されたものは、両者をひとまとめにすることは記載されているが仕分け装置によりひとまとめにすることが記載されていない点で両者は一応相違する。　
４．当審の判断　
　そこで上記相違点について検討する。　
　まず、相違点（１）については、　
　現像済フィルムの像を読み取って順次並べ、少なくとも１枚のプリントに表示しインデックスプリントを作成することは従来周知のことである（一例として、特開平５−２７４０６号公報（原査定の拒絶の理由に引用）、特開平５−１１３５３号公報、特開平１−９６６３４号公報参照）。したがって、インデックスプリントを現像済フィルムの像を読み取って順次並べ、少なくとも１枚のプリントに表示して作成するようにすること、すなわち上記相違点（１）は上記周知技術に倣って当業者が適宜採用することができたことである。　
　相違点（２）については、　
　前記引用例２に記載された「搬送用ベルト」及び「押圧板」は、本願発明の「排出口」に、また、「下方」、「ＩＤ番号が一致している」及び「ソーター部」はそれぞれ本願発明の「近傍」、「対応する」及び「仕分け装置」に相当するから、引用例２には「ネガシートと対応する写真プリントの排出口を近傍に配置し両者をひとまとめにする仕分け装置」が記載されており、該仕分け装置を引用例１に記載された写真プリントとインデックスプリントをひとまとめにするための仕分け装置として採用し本願発明のような構成とすることは当業者が容易に想到し得ることである。また、採用したことによる効果も格別のものではない。　
５．むすび　
　したがって、本願発明は、引用例１，２に記載された発明及び周知技術に基づいて当業者が容易に発明をすることができたものであるので、特許法第２９条第２項の規定により特許を受けることができない。　
　よって、結論のとおり審決する。